(57)【要約】【課題】広範囲にわたって変動磁場を形成して、広い範囲での磁気治療効果を得る。【解決手段】周囲の磁界を周期的に反転させる磁界極性反転装置を中心に設けると共に、該磁界極性反転装置の磁界の及ぶ範囲内に、小室内に永久磁石を移動自在に封入してなる磁石カプセルを１又は複数個配設して磁気治療装置を構成するという手段を採用した。具体的には、基体のほぼ中央に上記磁界極性反転装置を設けると共に、該磁界極性反転装置の磁界の及ぶ範囲内に、上記磁石カプセルを１又は複数個配設した。また、基体として、ガードルや粘着シートを用いる。【選択図】  図１
2004195124.tif 000002
【特許請求の範囲】
【請求項１】
周囲の磁界を周期的に反転させる磁界極性反転装置を中心に設けると共に、該磁界極性反転装置の磁界の及ぶ範囲内に、小室内に永久磁石を移動自在に封入してなる磁石カプセルを１又は複数個配設したことを特徴とする磁気治療装置。
【請求項２】
基体のほぼ中央に上記磁界極性反転装置を設けると共に、該磁界極性反転装置の磁界の及ぶ範囲内に、上記磁石カプセルを１又は複数個配設した請求項１記載の磁気治療装置。
【請求項３】
基体をガードルとし、その腰部に当接する部分に、上記磁界極性反転装置と複数の磁石カプセルを配設した請求項２記載の磁気治療装置。
【請求項４】
基体は粘着シートであり、皮膚に直接貼付可能とした請求項２記載の磁気治療装置。
【発明の詳細な説明】
【０００１】
【発明の属する技術分野】
この発明は、磁気治療装置に関するもので、特に、磁場を変動させながら広範囲に治療効果を得ようとする磁気治療装置に関するものである。
【０００２】
【従来の技術】
磁気が血行を促進し、肩こりや腰痛などの諸症状を緩和させる効能を発揮することが、経験的に広く知られており、この磁気の効能を応用した磁気治療器が種々開発、提案されている。その中でも、所定の大きさの貼着体に小粒の永久磁石を固着し、これを患部に直接貼り付ける貼付用磁気治療器は、比較的安価で、手軽に使用できることから、広く利用されている。
【０００３】
しかしながら、この従来の貼付用磁気治療器によれば、磁石が貼着体に固定されており、しかも使用時には常に磁石が皮膚と密着した状態となるため、その治療範囲や効能も自ずと固定されるといった課題があった。即ち、従来のものは、治療範囲が狭いばかりでなく、患部に対しては常に同じ磁力および磁極が作用する静磁場が形成されるため、患部に一種の「なれ」が生じる。その結果、従来のものでは、次第に血行促進等の効能が減殺されるという課題が残されている。
【０００４】
そのため、先に、片面に粘着層を形成した貼着体の該片面に、内部を空洞とした小室体を突出して設け、この小室体に磁石を移動自在に封入した貼付用磁気治療器の技術も存在する（特願２００１−３４７８１６号参照）。これによれば、小室体に封入した磁石は、この磁気治療器を貼付した人の動きに応じて小室体の中で不規則に移動する。この結果、磁石の移動する範囲で磁気効果が得られるばかりでなく、磁石の移動により患部との距離が変化したり患部に対する磁界の向きが変わるなどして、患部に対して変動磁場が形成される。そのため、上記「なれ」が回避され、磁気治療効果が持続されるのである。
【０００５】
一方、広範囲に磁気治療効果を得るものとしては、例えば、特許文献１や特許文献２で提案されたような磁気治療具がある。これらは、身体の胴部に装着する胴着部と、腰に巻き付ける腰ベルトとを備え、この胴着部や腰ベルトに複数個の永久磁石を取り付けたものである。
【０００６】
【特許文献１】
特開２０００−２２５２０２号公報
【特許文献２】
特開２００２−１７７４０３号公報
【０００７】
【発明が解決しようとする課題】
しかしながら、前記貼付用磁気治療器は、小粒の磁石を使用しているため、その磁気の及ぶ範囲は限定されており、広い範囲の治療効果を得るためには、一定の距離を置いて、多数の貼付用磁気治療器を貼付する必要があり、その取り付け、取り外しが面倒であった。
【０００８】
また、広範囲に作用する後者の磁気治療具も、永久磁石は固定的に取り付けられているため、静磁場による「なれ」の問題は残されたままであった。
【０００９】
本発明は、かかる実情に鑑みなされたもので、広範囲にわたって変動磁場を形成して、広い範囲での磁気治療効果を得ることを目的としたものである。
【００１０】
【課題を解決するための手段】
上記課題を解決するため、本発明は、周囲の磁界を周期的に反転させる磁界極性反転装置を中心に設けると共に、該磁界極性反転装置の磁界の及ぶ範囲内に、小室内に永久磁石を移動自在に封入してなる磁石カプセルを１又は複数個配設して磁気治療装置を構成するという手段を採用した。
【００１１】
かかる構成によれば、磁界極性反転装置によって変動磁場を形成すると共に、その磁場内に磁石カプセルを複数個配置して、その永久磁石を移動させることで新たな変動磁場を形成することができるから、広範囲に変動磁場を形成して磁気治療効果を得ることができる。
【００１２】
また、具体的には、基体のほぼ中央に上記磁界極性反転装置を設けると共に、該磁界極性反転装置の磁界の及ぶ範囲内に、上記磁石カプセルを１又は複数個配設するという手段を採用した。そして、基体をガードルとし、その腰部に当接する部分に、上記磁界極性反転装置と複数の磁石カプセルを配設するという手段も採用した。
【００１３】
さらに、基体を粘着シートとし、皮膚に直接貼付可能とするという手段も採用した。
【００１４】
【発明の実施の形態】
以下、本発明にかかる磁気治療装置の好ましい実施の形態を添付した図面について説明する。図１は、本発明の基本的な構成概念を示す斜視図であって、１は基体、２はこの基体のほぼ中央に保持する磁界極性反転装置である。この磁界極性反転装置は、一定の範囲で周りに磁場を与えるものであるが、さらに、周期的にその磁界の方向（極性）を反転できるようにしたものである。また、３、３・・は磁石カプセルであって、所定の大きさの小室内に永久磁石を移動自在に封入したもので、上記磁界極性反転装置２の磁場が及ぶ範囲に適当数、配置する。
【００１５】
上記構成において、基体１は、上記磁界極性反転装置２や複数の磁石カプセル３、３・・をその片面に保持できるものであれば、その素材は特に限定されるものではないが、磁気治療装置という機能上、全体を肌に密着させて使用する場合を考慮すれば、布などの柔軟性を有する素材を選択することが好ましい。ただし、その形態を維持するため、ある程度の剛性を持たせても良い。
【００１６】
また、磁界極性反転装置２は、上述したように、一定範囲に磁場を構成すると共に、その磁界極性を周期的に反転できるようにしたものである。その具体的構成としては、例えば上下方向に磁場を形成する永久磁石を上下反転自在に保持し、電磁コイル、電池、スイッチング素子等を用いて電磁コイルに周期的に反転する電流を流し、この電磁コイルの磁気作用によって上記永久磁石を周期的に上下反転させ、周りに作用する磁界極性が周期的に変わるようにしたものが既に知られている。ただし、これに限定されるものではなく、磁界極性が周期的に反転するようなものであればよい。なお、この磁界極性反転装置は、それ自体で変動磁場を形成するものであるから、その磁界の及ぶ範囲で磁気治療効果が期待できる。
【００１７】
次に、磁石カプセル３は、例えば上記従来の技術で説明したように、所定の大きさの小室４内に永久磁石５を移動自在に封入したものである（図２（Ａ）、（Ｂ）参照）。この磁石カプセル３は、人の動きに合わせて、永久磁石５が小室４内を自由に移動し、周囲に変動磁場を形成するものであるが、上記磁界極性反転装置２の磁場内に設置することによって、該反転装置２によって変動する磁場と共鳴して、強制的に封入された永久磁石５が移動し、その周囲に新たな変動磁場を形成するものである。
【００１８】
上記磁気治療装置は、腰や肩など治療を必要とする患部付近に適当な手段で当接保持して使用する。まず、磁界極性反転装置２を作動させると、図３に示すように、その周囲に周期的に反転する変動磁場（Ｈ１）が生じる。次に、その磁場内にある磁石カプセル３の永久磁石５が共鳴して小室４内を移動し、同じような変動磁場（Ｈ２）を形成するのである。そのため、上記磁界極性反転装置２自体が有する変動磁場（Ｈ１）と、これと共鳴して磁石カプセル３が形成する変動磁場（Ｈ２）とで、図示したように広い範囲に変動磁場を形成することができ、広範囲にわたって磁気治療効果を作用させることができるのである。なお、磁石カプセル３の小室４が突出しているため、肌に密着すれば適宜な指圧効果も併せて得ることができる。
【００１９】
図４は、上記構成の磁気治療装置をさらに発展させた実施の形態を示すものである。即ち、図において、磁界極性反転装置２とその周囲の磁石カプセル３は同様の構成であるが、磁石カプセル３の磁場の及ぶ範囲に、さらに別の磁石カプセル３’を配置したものである。この磁石カプセル３’には磁界極性反転装置２の磁場（Ｈ１）は及ばないため、その影響を直接受けず、磁界極性反転装置２が作る変動磁場（Ｈ１）と共鳴することはない。しかし、磁石カプセル３の磁場内にあるため、磁石カプセル３の永久磁石が移動することによって生じた変動磁場（Ｈ２）と共鳴して、磁石カプセル３’の永久磁石も小室内を移動し、その周囲に変動磁場（Ｈ３）を生じるのである。このように、中心に磁界極性反転装置２を配置し、その周囲に所定距離を置いて連続的に磁石カプセル３、３’を配置することで、極めて広い範囲に変動磁場を形成することが可能となり、広範囲の磁気治療効果を得ることができる。
【００２０】
次に、図５は、本磁気治療装置をガードルに適用した例を示すものである。図において、１１はガードル本体、１２、１２’はその端部にそれぞれ設けた面ファスナーで腰部に巻き付けて固定できるようにしたものである。１３は腰部に当接する部分に設けた保持袋１４に挿入する固定板で、その中心に上記磁界極性反転装置１５を保持している。１６、１６・・は上記磁界極性反転装置の磁場の及ぶ範囲で、適当間隔を置いて列設した磁石カプセルである。即ち、前記実施形態における基体１を、ガードル本体１１に置換して構成したものである。上記構成により、このガードルを腰部に装着すると、磁界極性反転装置１５を作動させることにより、それ自体の有する変動磁場と、周囲の磁石カプセル１６が形成する変動磁場とが広範囲に作用して、良好な磁気治療効果を得ることができるのである。
【００２１】
なお、上記実施形態の他、本発明の磁気治療装置は広範囲に応用できる。即ち、前述したように、適当な大きさの基体に磁界極性反転装置と複数の磁石カプセルを適宜配置したものを形成し、これを患部に当接、保持できるような手段を講じればよい。例えば、幅広のベルトの一部に袋を形成し、そこにこの磁気治療装置を挿入して患部に当接するように装着することができる。また、衣服の肩部や腰部の裏側に収納ポケットを形成しておき、その中にこの磁気治療装置を保持するようにしてもよい。そのほか、シャツの襟首部分、靴下のふくらはぎ部分や土踏まず部分、靴の内底部分など、こりや疲労を感じるあらゆる部分に当接するように装着して治療効果を得ることができる。さらに、布団や枕などに装置することも可能である。
【００２２】
また、上記構成において、基体１の片面を粘着面とし、その面に上記磁界極性反転装置や磁石カプセルを展開して配置し、所要患部に直接貼付するようにしてもよい。この場合、特に磁石カプセルの形状を図２（Ｃ）に示すように、上下に丸みを帯びた円盤状に形成することによって、カプセル周囲において皮膚と粘着面との接触性が良くなり、該部に空洞ができて、水などが溜まった場合にはがれやすくなることを防止できる。
【００２３】
さらに、基体を省略し、磁界極性反転装置や磁石カプセルのそれぞれの裏面に貼着層を設け、その距離を考慮しつつ個別に貼着することも可能であり、そのように配置しても、同様の効果を得ることができる。
【００２４】
【発明の効果】
以上述べたように、本発明にかかる磁気治療装置は、磁界極性反転装置によって変動磁場を形成すると共に、その磁場内に磁石カプセルを複数個配置して、その永久磁石を移動させることで新たな変動磁場を形成するようにしたものであるから、広い範囲に変動磁場を形成することができ、広範囲に磁気治療効果を得ることができる優れた発明である。
【００２５】
また、中心に磁界極性反転装置を配置し、その周囲に複数の磁石カプセルを配置した構成を維持する限り、様々な物品に応用して磁気治療装置を構成できるものである。
【図面の簡単な説明】
【図１】本発明にかかる磁気治療装置の実施形態を示す斜視図である。
【図２】（Ａ）は磁石カプセルの拡大斜視図、（Ｂ）はその断面図、（Ｃ）は磁石カプセルの他の実施形態を示す斜視図である。
【図３】磁界極性反転装置及び磁石カプセルの磁場の範囲を示す概念図である。
【図４】磁場の共鳴状態を示す概念図である。
【図５】ガードルに適用した例を示す斜視図である。
【符号の説明】
１    基体
２    磁界極性反転装置
３    磁石カプセル
４    小室
５    永久磁石
１１    ガードル
１３    固定板
１５    磁界極性反転装置
１６    磁石カプセル
【図１】
2004195124.tif 000003
【図２】
2004195124.tif 000004
【図３】
2004195124.tif 000005
【図４】
2004195124.tif 000006
【図５】
2004195124.tif 000007